Podtech/llm-jp-corpus-v4-ja_patent huggingface dataset:
(57)【要約】【課題】この発明は、柄の先端に紙押えを設け、柄の先端に紙押え台を支軸で連結した掃除具で、便器の汚れや汚物を掃除した後、汚れた拭き取り紙と手を汚さずに、衛生的に処理できるように工夫したトイレ用の掃除具を提供する。【解決手段】柄（４）の先端に紙押え（５）を設け、柄（３）の先端に紙押え台（６）を設け、柄（４）と柄（３）を支軸（１）で連結したことを特徴とする。【選択図】  図１
2005081112.tif 000002
【特許請求の範囲】
【請求項１】
柄（４）の先端に紙押え（５）を設け、柄（３）の先端に紙押え台（６）を設け、柄（４）と柄（３）を支軸（１）で連結したことを特徴とする掃除具。
【請求項２】
支軸（１）が連結部（１１）である請求項１の掃除具。
【請求項３】
柄（４）に握り手（１３）を設け、柄（３）に握り手（１２）を設けた請求項１の掃除具。
【発明の詳細な説明】
【技術分野】
【０００１】  この発明は、柄の先端に紙押えを設け、柄の先端に紙押え台を支軸で連結した掃除具で、便器の汚れや汚物を掃除した後、汚れた拭き取り紙と手を汚さずに、衛生的に処理できるように工夫したトイレ用の掃除具に関するものである。
【背景技術】
【０００２】  従来、この種のトイレ用の掃除具としては、樹脂製の柄の先端にスポンジ状の拭き取り部を取り付けられたものがあった。
掃除具の先端にブラシを植設した掃除具もあった。
先行技術文献情報は、特開２０００−２７９３４４、特開２００２−１０９６０などがある。
【発明の開示】
【発明が解決しようとする課題】
【０００３】  トイレ用の掃除具は、樹脂製の柄の先端にスポンジ状の拭き取り部が取り付けられたものがあるが、この掃除具は、収納する際、スポンジに水分を含んでいるため滴下し、床面が不衛生であった。
また、屑入れ等に捨てることになりゴミになっていた。
先端にブラシを植設したものもあるが、毛と毛の間に隙間があるため拭くときにムラができ、力を入れて擦ると水が弾き飛んでいた。
また、水分を含んでいるため収納する際も滴下していた。
従来の掃除具は、収納場所を取り、スペースの狭いトイレでは不向きの場所もあった。
従来の掃除具は、スポンジ状の拭き取り部に水分を吸収するため、汚物までも吸収してしまうため、不衛生であった。
本発明は、これらの問題点を解決するために発明されたものである。
【課題を解決するための手段】
【０００４】  柄（４）の先端にコの字形状の紙押え（５）を設ける。
柄（３）の先端に格子状の紙押え台（６）を設ける。
柄（４）と柄（３）を支軸（１）で連結する。
本発明は以上の構成よりなる掃除具である。
【発明の効果】
【０００５】  本発明品のトイレクリーナー（ペーパー）は、簡単に着脱ができる。
本発明品は、トイレの便器や床に、直接手を触れることなく、トイレ内の掃除ができる。
紙押え台に水に分解する紙を載せて、紙押えで結束して拭き取り部として、トイレの便器などの掃除ができる。
ボタンを押し下げると使用後の汚れた紙が便器内に落ち、手を汚すことなく衛生的に掃除ができる掃除具である。
本発明を使用することにより、拭き取り部は紙のため密なので水弾きなく、拭きムラなく、トイレの便器の汚れや汚物の掃除ができる。
使用後の紙は、ボタンを押し下げて便器内に直接流すことができるので、手を汚すこともなく処理ができて、水の滴下もなく、衛生的に収納できる掃除具である。
清潔に使用できて、形状もコンパクトで収納も簡単である。
不特定多数の人が出入りする施設で、トイレが頻繁に使用されても、衛生面の管理が楽である。
狭いスペースで、しかも水洗の量に限界のある場所に設けられたトイレでも使いやすい。
手を汚すことなく、使い方が簡単である。
【発明を実施するための最良の形態】
【０００６】  以下、本発明の実施の形態について説明する。
柄（４）と柄（３）とが開閉できるように、紙押え（５）と格子状の紙押え台（６）に支軸（１）を設ける。
支軸（１）から伸びた柄（４）の先端にコの字形状の紙押え（５）を設ける。
柄（３）の先端に紙押え台（６）を設ける。
柄（４）と柄（３）を支軸（１）で連結する。
紙押え（５）と紙押え台（６）は、柄（４）と柄（３）に対して、やや上向きに角度が付いていて斜め上方からの掃除作業がし易いようにする。
斜め上方からの掃除作業がし易いようにする。
紙の厚み問わず挟み込めるように、紙押え（５）の内側側壁に滑り止め突起（１０）を設ける。
紙押え（５）と紙押え台（６）を開くために、柄（４）に穴（８）を設け、柄（３）にボタン（２）を設ける。
柄（４）に吊り下げ穴（９）を設ける。
紙押え（５）と紙押え台（６）の結束保持のためストッパー（７）を設ける。
持ち手は、持ったとき手に馴染むように楕円形状の断面にする。
本発明は以上のような構造である。つぎに、この掃除具の使い方を説明する。
ボタン（２）を押し下げる。
紙押え（５）と紙押え台（６）を開く。
紙押え台（６）に水に分解する紙を載せる。
紙押え（５）にて、結束して拭き取り部とする。
トイレの便器の汚れや汚物の掃除をする。
使用後の紙は、ボタン（２）を押し下げ、紙押え（５）と紙押え台（６）を開き、汚れた清掃紙を取り外して、直接トイレの便器内に流すことができる。
なお、図４に示すように、支軸（１）の変わりに連結部（１１）で柄（３）と柄（４）を連結させてもよい。
図５に示すように、柄（４）に握り手（１３）を設け、柄（３）に握り手（１２）を設け先端部を開閉できるようにしてもよい。
【図面の簡単な説明】
【０００７】
【図１】本発明の開いた状態を示した斜視図である。
【図２】本発明の閉じた状態を示した斜視図である。
【図３】本発明の使用状態を示した斜視図である。
【図４】本発明の他の実施例を示した斜視図である。
【図５】本発明の他の実施例を示した斜視図である。
【符号の説明】
【０００８】  １  支軸
２  ボタン
３  柄
４  柄
５  紙押え
６  紙押え台
７  ストッパー
８  穴
９  吊り下げ穴
１０  滑り止め突起
１１  連結部
１２  握り手
１３  握り手
【図１】
2005081112.tif 000003
【図２】
2005081112.tif 000004
【図３】
2005081112.tif 000005
【図４】
2005081112.tif 000006
【図５】
2005081112.tif 000007
(57)【要約】【目的】固形で収納場所をとっていた沐浴用ベビーバスに収縮可能なエアマットを使用し、沐浴終了後は収縮し収納を軽量かつコンパクトにする、とともに入浴を補助する大人の腕や肘の負担を軽減する。【構成】エアマットに空気をいれ、使用期間のみベビーバスの形で利用する。ベビーバス内に空気で膨らむエアソファを接続し、赤ちゃんの入浴を安定させる。エアマットの端をシンク台の上まで広げ、入浴を補助する大人の腕や肘の当たる部分にクッション効果を与え、その負担を軽くする。使用後は、空気を抜いて小さくたたんで収納可能にする。【選択図】図３
2005081113.tif 000002
【特許請求の範囲】
【請求項１】
エアマットに空気を注入するとベビーバスとして利用でき、空気を抜くと小さく折りたたむことができるベビーバス
【請求項２】
空気を注入するとエアソファになる補助椅子を接続したベビーバス
【請求項３】
入浴を補助する大人の肘や腕のあたる部分にエアマットを使用したベビーバス
【発明の詳細な説明】
【発明の詳細な説明】
【０００１】  ベビーバスの使用期間はおよそ１ヶ月という短期間である。しかし家庭内に風呂が普及した今でも人々に愛用されるのは、母親が一緒に入らなくても赤ちゃんのみ入浴させられる手軽さからである。だが、従来ベビーバスは固形であることが前提としていたため、大きな場所をとり使用した後の保管場所に大きなスペースを要していた。長い間ベビーバスは出産後の大きな荷物として邪魔者扱いされてきた。
【０００２】  本発明は、収縮可能なエアマットをベビーバスに使用し、沐浴期間のみ膨らませ、沐浴期間を過ぎると空気を抜いて小さくたたむことができる便利なものである。広い保管場所を確保しなくてすむだけでなく、エアマットは小さな赤ちゃんの頭や足に優しく、柔らかい特性を充分に発揮されると考えられる。
【０００３】  特に台所シンク内での使用は、母親の腕の当たる位置にもエアマットを広げ、母親はエアクッションの上に腕や肘を乗せることができる。よって腕の負担が軽減される。それだけでなくベビーバス内に連結した小さなソファを取り付け、同様に空気の注入によって必要な時のみソファの役目を果たし、赤ちゃんの体を安定して支えるのに役立つように考えられている。このエアソファも同様に必要な時のみ膨らませ、使用しない時は空気を抜いてソファなしのベビーバスとして使用することができる。
【図面の簡単な説明】
【図１】  空気を入れたときのベビーバスの図である。
【図２】  空気を入れたときのエアソファの図である。
【図３】  台所のシンク内にベビーバスを置いたときの図である。
【符号の説明】
１  ベビーバス
２  エアソファ
３  シンク
４  腕、肘のあたる部分
【図１】
2005081113.tif 000003
【図２】
2005081113.tif 000004
【図３】
2005081113.tif 000005
(57)【要約】      （修正有）【課題】寝たきりの障害者を車椅子に乗せ降ろし、トイレ等に行く事も容易に出来、介護者の負担も軽減出来る車椅子を提供する。【解決手段】腰掛け部を軸に背凭れ部、足掛け部が平行になり、パンタグラフ機構で昇降し自由に高さが選択出来る、肘掛け部で体を浮かせる事が出来る、腰掛け部の尻部分が前方に折り畳む事が出来る構造となっている介護用自在車椅子。【選択図】  図２
2005081131.tif 000002
【特許請求の範囲】
【請求項１】
背凭れ部（９）足掛け部（１５）が腰掛け部（３）を軸に角度を変えられる構造、背凭れ部（９）を倒して水平にした時安定を保つ為に後輪（１６）と移動フレーム（２）を後方にスライドさせるシリンダ（１０）を移動フレーム（２）と本体フレーム（１）の内部に取り付る、腰掛け部（３）の底部にパンタグラフ機構（６）のフレームを設け、それを稼働させて腰掛け部（３）を昇降させるシリンダ（１１）をパンタグラフ機構（６）のフレームの下部の間に取り付た、又背凭れ部（９）のフレームに取り付た肘掛け部（７）を昇降させるシリンダ（１２）を背凭れ部（９）の下部に取り付た、手動ポンプ（４）、切り替えレバー（５）を本体フレーム（１）に取り付た、手動ポンプ（４）、切り替えレバー（５）を圧ホース（１９）で各シリンダ（１０）（１１）（１２）を連結して、手動ポンプ（４）を稼働させ切り替えレバー（５）を操作する事で、各シリンダ（１０）（１１）（１２）が伸び縮みして各箇所が昇降、伸び縮みする、稼働エネルギーわ油圧で手動油圧ポンプで稼働させる、又腰掛け部（３）の尻の辺る部分が前方に折り畳まる（スライド）構造である。
【請求項２】
移動エネルギーわ空気圧で手動空気圧ポンプで各シリンダを稼働させる構造で、その他は請求項１と同様の構造で同様の効果を発揮する。
【発明の詳細な説明】
【発明の詳細な説明】
（発明の属する技術分野）
本発明は介護者と障害者に負担の軽い介護用車椅子に関するものである。
（従来の技術）
（イ）車椅子に乗せるさい介護者が障害者を抱き抱える。
（ロ）スリングシートの上に乗せ介護用リフトで吊り上る。
（ハ）オムツをさせてベット等の上で排泄する。
（発明が解決しようとする課題）
（イ）介護者の腰し等に負担がかかり腰痛等の病気になる。
（ロ）介護用リフト、スリングシート、オムツ等の費用の負担がある。
（ハ）ベットの上等での排泄、オムツの交換わ障害者が気兼ねである。
（課題を解決するための手段）
（イ）パンタグラフ機構で腰掛け部をベットと平行の高さに昇降出来て、安定を保つ為に後輪を後方にスライドさせ、腰掛け部を軸に背凭れ部、足掛け部を平にしてベットに寝た状態の障害者を横にずらして介護用自在車椅子に乗せて移動が出来る。
（ロ）腰掛け部が便器をまたげる高さに上昇させて、便器の上に移動して、肘掛け部を上昇させ障害者の脇の下にあてがい体を浮せてパンツ等を尻部分から下げて、腰掛け部の尻のあたる部分を前方に折り畳み、肘掛け部を降ろして便器の上に座らせて排泄が出来る。
（作用）
（請求項１の介護用自在車椅子）
パンタグラフ機構（６）のフレームの上部に取り付てある腰掛け部（３）を軸に足掛け部（１５）、背凭れ部（９）の角度が変えられる、パンタグラフ機構（６）の下部の間に取り付たシリンダ（１１）に油が流れるように切り替えレバー（５）を操作して手動油圧ポンプ（４）を稼働させる事でシリンダ（１１）が伸び縮みして、パンタグラフ機構（６）のフレームを押したり引っ張る事で、腰掛け部（３）背凭れ部（９）足掛け部（１５）が昇降する。
移動フレーム（２）と本体フレーム（１）の内部に取り付たシリンダ（１０）に油が流れるように切り替えレバー（５）を操作して手動油圧ポンプ（４）を稼働する事で、移動フレーム（２）が伸び縮みして移動フレーム（２）に取り付てある後輪（１６）が前、後に位置をかえる。
背凭れ部（９）のフレームの下部に取り付たシリンダ（１２）に油が流れるように切り替えレバー（５）を操作して手動油圧ポンプ（４）を稼働する事でシリンダ（１２）が伸び縮みして肘掛け部（７）を昇降する。
肘掛け部（７）わ背凭れ部（９）のフレームと平行に折り畳まる。
又腰掛け部（３）の尻部分が前方に折り畳まる。
（請求項２の介護用自在車椅子）
稼動エネルギーわ空気圧で、各空気圧シリンダ（１０）（１１）（１２）に空気圧が流れるように切り替えレバー（５）を操作して手動空気圧ポンプ（４）で稼働させる構造で、その他は請求項１の介護用自在車椅子と同様の構造である。
（発明の実施の形態）
本発明の実施の形態を添付図面に従って説明する。
図１は移動時の図。
背凭れ部（９）のフレームの下部に取り付たシリンダ（１２）が伸び縮みする事で、背凭れ部（９）のフレームに取り付た肘掛け部（７）が昇降する。図２はパンタグラフ機構（６）のフレームが上昇して、パンタグラフ機構（６）のフレームの上部に取り付た腰掛け部（３）を軸に背凭れ部（９）、足掛け部（１５）が平行になって、移動フレーム（２）を後方に延ばし移動フレーム（２）に取り付た後輪（１６）を後方に移動させ、障害者をベットから介護用自在車椅子に乗せられる図。
図３はパンタグラフ機構（６）の上部に取り付てある腰掛け部（３）を上昇させ便器（１８）をまたいでいる図。図４は便器（１８）の上で腰掛け部（３）の尻の辺り部分を折り畳んだ図。
（発明の効果）
介護者の負担の軽減。障害者の気兼が軽減。
衛生的によい。
【図面の簡単な説明】
【図１】座席が下降時の側面図。
【図２】後輪を後に伸し、腰掛け部を軸に背凭れ部足掛け部を平行にして上昇した側面図。
【図３】腰掛け部分が上昇した後面図。
【図４】腰掛け部分の尻り辺りが折り畳まった平面図。
【符号の説明】
（１）本体フレーム            （１８）便器
（２）移動フレーム            （１９）圧ホース
（３）腰掛け部
（４）手動ポンプ
（５）切り替えレバー
（６）パンタグラス機構
（７）肘掛け部
（８）手掛け部
（９）背凭れ部
（１０）シリンダ
（１１）シリンダ
（１２）シリンダ
（１３）折り曲り部分
（１４）ポンプレバー
（１５）足掛け部
（１６）後輪
（１７）前輪
【図１】
2005081131.tif 000003
【図２】
2005081131.tif 000004
【図３】
2005081131.tif 000005
【図４】
2005081131.tif 000006
(57)【要約】【課題】  従来は突起物のついた棒状や手で握る硬質部材等で形成された指圧具で押圧していたので被施術者の指圧個所や施術者の手や指を痛めることがあった。また突起物のついた履物などは同じ個所しか押圧されなかったり人の手や指先で施術するほどの指圧効果は得られなかった。【解決手段】この発明は、押圧部分が適度な硬さの軟質部材で形成された本体を手に装着して使用するため手や指先の動きが直接指圧する個所に伝わり指圧師が施術しているような指圧効果が期待できる。更に本体の押圧部分の内側に軟質素材を貼り合わせることで、女性や子供等の力の弱い人が使用しても手や指を痛めることが少なく容易に指圧を行なうことができる。【選択図】  なし【特許請求の範囲】
【請求項１】
本体が人の手に装着する指圧具とされ、この指圧具本体の指先及び掌部分が軟質部材でできている指圧具。
【請求項２】
本体と人の手の指先及び掌がそれぞれ一体となるよう加工形成された着脱自在なる請求項１記載の指圧具。
【請求項３】
本体の指先及び掌の押圧部分がそれぞれの指用若しくは親指と人差指用、親指と人差指と中指用、親指と人差指と中指と薬指用、親指と人差指と中指と薬指と小指用にそれぞれ組み合わされた指圧具で、人の手の指先又は指圧師の指先と掌に酷似した軟質状態や形状、大きさに形成された請求項１又は２記載の指圧具。
【請求項４】
本体の指先及び掌の押圧部分が着脱自在にできるよう加工形成された請求項１乃至３記載の指圧具。
【請求項５】
本体が別部材及び別形状で着脱自在に一体化されてなる請求項１乃至４記載の指圧具。
【発明の詳細な説明】
【発明の詳細な説明】
【技術分野】
【０００１】  本発明は、指圧具に係り、その目的は人の手の指先及び掌に装着して使用する指圧具で、指圧、マッサージを要する個所に本体の押圧部分が指圧効果を与えられるような適度な硬さの軟質状態や形状、大きさ或いは指圧師の指先に酷似されたように形成されており直接人の手や指で指圧するような効果が得られる。しかも指圧、マッサージを要する個所を硬質部材で押圧したような痛みを与えることもなく、指圧師やマッサージ師が施術するような指圧効果が期待できる。更に施術者の指先や掌にかかる力の負担が軽減され疲れの少ない本体は、本人や家族特に女性や子供等の力の弱い人が使用しても手や指を痛めることが少なく、充分な指圧効果を被施術者に与えることができる。尚且つプロの指圧師やマッサージ師が用いることができる指圧具を提供する。
【背景技術】
【０００２】  古くから、肩こり、疲労、筋肉痛、五十肩等の施術には指圧療法やマッサージ療法などが利用されている。近年ではＯＡ機器の発達に伴う同一姿勢による肩こりや眼精疲労、頭痛、腰痛、手足のしびれ等が原因と思われる職業病や、社会生活環境におけるストレスや不満が蔓延しており、肩こり、疲労、筋肉痛、五十肩、眼精疲労、頭痛、腰痛、手足のしびれ等の解決策として、指圧やマッサージは専門の治療院をはじめ家族同士や個人で簡易に行われている。
【発明が解決しようとする課題】
【０００３】  この発明の解決課題は、家族同士は勿論、携帯できる大きさなのでいつでもどこでも指圧、マッサージを要する人が一人でも使用できる。本来指圧の施術効果は人の手と指の動きが最適と言われているように、本体は自らの手と指の動きがそのまま指圧個所に伝わるので指圧師と同じような動きと施術効果が期待できる。尚且つ施術者が女性や子供等の力の弱い人が使用しても本体押圧部分の内側にウレタン等の軟質素材を使用することにより自らの手や指を痛めることが少ない指圧具であって施術者の疲労とエネルギーの消耗を少なくすることができる。しかもプロの指圧師やマッサージ師が用いることもできる指圧具を創出せんとしてなされたものである。
【課題を解決するための手段】
【０００４】  請求項１記載の発明は、本体が人の手に装着する指圧具とされ、この指圧具本体の指先及び掌部分が軟質部材でできている指圧具に係り、請求項２記載の発明は、本体と人の手の指先及び掌がそれぞれ一体となるよう加工形成された着脱自在なる請求項１記載の指圧具に係り、請求項３記載の発明は、本体の指先及び掌の押圧部分がそれぞれの指用若しくは親指と人差指用、親指と人差指と中指用、親指と人差指と中指と薬指用、親指と人差指と中指と薬指と小指用にそれぞれ組み合わされた指圧具で、人の手の指先又は指圧師の指先と掌に酷似した軟質状態や形状、大きさに形成された請求項１又は２記載の指圧具に関し、請求項４記載の発明は、本体の指先及び掌の押圧部分が着脱自在にできるよう加工形成された請求項１乃至３記載の指圧具に関し、請求項５記載の発明は、本体が別部材及び別形状で着脱自在に一体化されてなる請求項１乃至４記載の指圧具に係わるものである。
【実施例】
【０００５】  本発明の指圧具について、図１に示されるように本体が人の手の指先及び掌と一体になるよう形成された着脱自在な指圧具を示したものである。
【発明の効果】
【０００６】  この発明に係る請求項１記載の発明は、本体が人の手に装着する指圧具とされ、この指圧具本体の指先及び掌部分が軟質部材でできている指圧具に係り、請求項２記載の発明は、本体と人の手の指先及び掌がそれぞれ一体となるよう加工形成された着脱自在なる請求項１記載の指圧具に係り、請求項３記載の発明は、本体の指先及び掌の押圧部分がそれぞれの指用若しくは親指と人差指用、親指と人差指と中指用、親指と人差指と中指と薬指用、親指と人差指と中指と薬指と小指用にそれぞれ組み合わされた指圧具で、人の手の指先又は指圧師の指先と掌に酷似した軟質状態や形状、大きさに形成された請求項１又は２記載の指圧具に関し、請求項４記載の発明は、本体の指先及び掌の押圧部分が着脱自在にできるよう加工形成された請求項１乃至３記載の指圧具に関し、請求項５記載の発明は、本体が別部材及び別形状で着脱自在に一体化されてなる請求項１乃至４記載の指圧具に係わるものであるから、指圧、マッサージを要する施術個所に手や指の動きがそのまま伝わり施術効果が期待できる。しかも家族特に女性や子供等の力の弱い人が使用しても充分な指圧効果を与えるとともに手や指の痛みや疲労、エネルギーの消耗を少なくすることができる。更にプロの指圧師やマッサージ師が用いても充分実用に供することができ、押す、揉む、叩くことが自在な指圧具となる効果を奏する。
【図面の簡単な説明】
【図１】  本発明に係る、親指と人差指と中指と薬指を組み合わせた指圧具の構成を示す外観図である。
【符号の説明】
１…手の平部分
２…手の甲部分
３…指圧具本体指先押圧部分
４…指圧具本体掌押圧部分
５…指圧具本体補助ベルト
６…指圧具本体補助ベルト止め
【図１】
2005081103.tif 000002
(57)【要約】      （修正有）【課題】椅子に支柱が固定された腹当部での腹部の指圧は、跨いで座る逆座となり座り具合が悪く女性には座りづらいのが課題である。【解決手段】腹当部に腹部を当てるために座るのでなく、座ってから腹部に腹当部を移動して指圧するようにすれば解決できる。【選択図】図２
2005081110.tif 000002
【特許請求の範囲】
【請求項１】
椅子に取り付けたアー厶などを伸び・縮み・回転などにより移動させ、簡単に格納状態から使用状態の定位置において腹部を腹当部で指圧する、移動式腹当指圧装置及び移動方法。
【請求項２】
椅子に回転盤などの移動装置を取り付け、アームパイプを横回転させて使用する、「請求項１」の移動式腹当指圧装置及び移動方法。
【請求項３】
椅子に回転受具などの移動装置を取り付け、アームパイプを縦回転させて使用する、「請求項１」の移動式腹当指圧装置及び移動方法。
【請求項４】
椅子にスライド盤などの移動装置を取り付け、アーム板を伸縮させて使用する、「請求項１」の移動式腹当指圧装置及び移動方法。
【請求項５】
椅子に蝶番板などの移動装置を取り付け、開閉板を両開きさせて使用する、「請求項１」の移動式腹当指圧装置及び移動方法。
【請求項６】
椅子に巻取り具などの移動装置を取り付け、ベルトを伸縮させて使用する、「請求項１」の移動式腹当指圧装置及び移動方法。
【発明の詳細な説明】
【発明の詳細な説明】
【技術分野】
【０００１】  本発明は椅子に座った状態でアームなどを移動させ、腹部を腹当部により指圧することができる、移動式腹当指圧装置及び移動方法に関するものである。
【背景技術】
【０００２】  従来の技術は台座に支柱を固定し前面に腹当部を取り付け、またいで座る構造である。（特公２００２−１２５８０３号公報参照）
【発明が解決しようとする課題】
【０００３】  課題は支柱を固定した腹当部に腹部を当て座るため、逆座となり座り心地も悪く又座り方が女性には無理なところが問題点である。
【発明が解決するための手段】
【０００４】  上記を解決するためには、腹当部に腹部を当てるために座るのでなく、座ってから腹部に腹当部を当てるようにすれば解決できる。
【発明の実施の形熊】
【０００５】  実施例にもとづき図面を参照にして説明する。
図１においては移動装置を使用前の格納状態を示す。
図２においては移動装置を使用中の移動状態を示す。
【０００６】  図３は腹当部１の横回転式移動と調整を示す。椅子の一部に下部アーム１４を固定し片方にレール台１３を取り付け、その上にアーム台１２を装着スライドさせ前後調整しネジ５で止める、回転盤カラー７をボルト４で取り付けカラー溝６をスライドさせ上下調整しネジ５で止める、回転盤７と回転ストッパー８でアームパイプ３を３／４横回転させ、アームバー２を伸ばし先端に固定した腹当部１を所定の位置において腹部を指圧する。
【０００７】  図４は腹当部１の縦回転式移動と調整を示す。椅子の一部に下部アーム１４を固定し片方にレール台１３を取り付け、その上にアーム台１２を装着スライドさせ前後調整しネジ５で止める、角柱１１で角パイプ１０を上下調整しネジ５で止める、回転受具９でアームパイプ３を縦回転させ、アームバー２を伸ばし先端に固定した腹当部１を所定の位置において腹部を指圧する。
【０００８】  図５は腹当部１のスライド式移動と調整を示す。椅子の下部に固定したボックス台２４にクラッチ盤２３を取り付ける、第一スライドボックス１８の前にクラッチボックス２２を取り付け、クラッチピン２１をハンドクラッチ２０操作で前後調整する。ボックス台２４に第一スライドボックス１８をボルトピン１９で止める、そこを支点にして第二スライドボックス１７とアーム板１６の二段伸縮で股下よりハンドスライド１５操作して、腹当部１を取り出し所定の位置において腹部を指圧する。
【０００９】  図６は腹当部１の開閉式移動と調整を示す。椅子の背もたれ部に背面板３０を固定した両サイドに、スライド棒具２９とスライド板２８を取り付け上下調整と前後調整をする、それに蝶番２７を連結し開閉板２６を重ねスライドロック２５とする、内側の板に取り付けた腹当部１で腹部を指圧する。
【００１０】  図７は腹当部１のベルト式移動と調整を示す。椅子の背もたれ部の背面板３０を固定し両サイドのスライド棒具２９で上下調整をする、その片方にベルト巻取具３４を取り付け長さを調整したベルト３３を正面板３２の両端を通し止金具３１を取り付ける、もう一方のスライド棒具２９に取り付けた止金具３１′とでロックして正面板３２の中央に取り付けた腹当部１を所定の位置で腹部を指圧する。
【発明の効果】
【００１１】  発明は以上説明したように従来のようなまたいで逆座りの使い勝手の悪い状態でなく普通に座ったままの状態で腹当部の移動により腹部を指圧するため、座り心地はよく長時間の使用にも疲れず楽な姿勢は、どのような椅子にも対応することができ、家庭用から産業用まで巾広く利用が可能である。
【００１２】  例えば、子供の学習用から大人の癒し椅子、そして介護用・身障者用の車椅子に又医療用・健康機具用・工場ライン用・オフィス用・遊技場用・自動車用に応用することができ将来的に大いに期待できる。
【図面の簡単な説明】
【００１３】
【図１】移動式腹当指圧装置の使用前の格納状態を示す正面図と側面図である。
【図２】移動式腹当指圧装置の使用後の移動状態を示す正面図と側面図である。
【図３】移動式腹当指圧装置の横回転の移動状態を示す正面図と断面図である。
【図４】移動式腹当指圧装置の縦回転の移動状態を示す正面図と断面図である。
【図５】移動式腹当指圧装置の伸縮の移動状態を示す正面図と断面図である。
【図６】移動式腹当指圧装置の開閉の移動状態を示す正面図と平面図である。
【図７】移動式腹当指圧装置の巻取移動状態を示す正面図と平面図である。
【符号の説明】
１．腹当部
２．アームバー
３．アームパイプ
４．ボルト
５．取手ネジ
６．カラー溝
７．回転盤
８．回転ストッパー
９．回転受具
１０．角パイプ
１１．角柱
１２．アーム台
１３．レール台
１４．下部アーム
１５．ハンドスライド
１６．アーム板
１７．第二スライドボックス
１８．第一スライドボックス
１９．ボルトピン
２０．ハンドクラッチ
２１．クラッチピン
２２．クラッチボックス
２３．クラッチ盤
２４．ボックス台
２５．スライドロック
２６．開閉板
２７．蝶番
２８．スライド板
２９．スライド棒具
３０．背面板
３１．３１′．止金具
３２．正面板
３３．ベルト
３４．巻取具
３５．ベルトバネラセン
【図１】
2005081110.tif 000003
【図２】
2005081110.tif 000004
【図３】
2005081110.tif 000005
【図４】
2005081110.tif 000006
【図５】
2005081110.tif 000007
【図６】
2005081110.tif 000008
【図７】
2005081110.tif 000009
(57)【要約】【課題】  従来の傘は、手元以外にキーホルダー等を取り付けることは出来なかった。それゆえ、傘をファッションの一部としてとらえた場合、購入した傘に自分なりの工夫を凝らす余地が極めて少なかった。【解決手段】  露先を環状にすることにより、キーホルダー等を装着することを可能とする。それにより、自分なりの傘を楽しむことが可能となる。また、傘を使用していないときには、装着したキーホルダー等が自分の傘と認識するための目印となる。【選択図】  図１
2005081107.tif 000002
【特許請求の範囲】
【請求項１】
露先を環状にすることにより、キーホルダー等の装着を可能とした傘
【発明の詳細な説明】
【特許の詳細な説明】
【技術分野】
【０００１】  この発明は、露先を環状にすることにより、キーホルダー等を装着することを可能とした傘に関するものである。
【背景技術】
【０００２】  従来の傘は、手元以外にキーホルダー等を取り付けることは出来なかった。
【発明が解決しようとする課題】
【０００３】  それゆえ、傘をファッションの一部としてとらえた場合、購入した傘に自分なりの工夫を凝らす余地が極めて少なかった。
【課題を解決するための手段】
【０００４】  以上の課題を解決するために、請求項１の発明は、露先を環状にすることにより、キーホルダー等を装着することを可能としたものである。
【発明を実施するための最良の形態】
【０００５】  この発明の一実施形態を、図１に示す。露先を環状にすることにより、キーホルダー等の装着を可能とする。環状にする露先の数及び環の形状については任意である。
【発明の効果】
【０００６】  本発明は、環状とした露先にキーホルダー等を装着することにより、自分なりの傘を楽しむことが可能となる。また、傘を使用していないときには、装着したキーホルダー等が自分の傘と認識するための目印となる。
【０００７】  また、傘を使用していないときには、装着したキーホルダー等が自分の傘と認識するための目印となる。
【図面の簡単な説明】
【図１】本考案の一実施形態を示す図である。
【図２】環状とする露先の形状例を示す図である。
【符号の説明】
１  露先（環状）
２  露先（通常）
【図１】
2005081107.tif 000003
【図２】
2005081107.tif 000004
(57)【要約】      （修正有）【課題】この発明は、介護者の腰の痛みの軽減と、利用者であるご老人や片麻痺などの障害者の方が、立位から湯船につかる時やつかった状態から、立ち上がろうとする時、浮力により身体の負担を軽減する円座である。【解決手段】円座１に、空気調節口２を設ける。円座１の調節ベルト３に、マジックテープ４を設け、この円座を、利用者の臀部に巻きつけ、使用する。【選択図】図１
2005081109.tif 000002
【特許請求の範囲】
【請求項１】
（イ）空気調整口をつけた円座（１）
（ロ）ゴム製やビニール製の円座に、空気調節口（２）を設ける
（ハ）調節ベルト（３）を設ける
（ニ）調節ベルトの先端部分にマジックテープ（４）を設ける
（ホ）円座（１）の両脇に調節ベルト（３）を取り付ける為の耳（５）を設ける
以上のように構成された，浴槽円座・楽円である
【請求項２】
ゴム製、およびビニール製の円座に、空気調節口（２）と、調節ベルト（３）、マジックテープ（４）をつけた、入浴の介護用品
【発明の詳細な説明】
【発明の詳細な説明】
【技術分野】
【０００１】  この発明は、介護者の腰の痛みの軽減と、利用者であるご老人や片麻痺などの障害者の方が立位から湯船につかる時や、つかった状態から立ち上がろうとする時、浮力により身体の負担を軽減する円座である
【背景技術】
【０００２】入浴するにあたり、介護者の腰に負担がかかる事や、体力低下している人が湯船に入ったり、あがる動作が健常者のようにスムーズにできなかった。
【発明が解決しようとする課題】
【０００３】  したがって、各メーカーの介護用品を調べたが、該当する物がなかった
本発明は、片麻痺の障害者の方からの声として、仙骨部が、浴槽底にあたらず、湯船の出入りも楽との感想あり、実際に利用された方からの要望に応えるため、解決しようと発明されたのである
【課題を解決するための手段】
【０００４】その構成は、
（イ）空気調整口をつけた円座（１）
（ロ）ゴム製やビニール製の円座に、それぞれの体重を考慮し、空気調節口（２）を設ける
（ハ）調節ベルト（３）を設ける
（ニ）調節ベルトの先端部分にマジックテープ（４）を設ける
（ホ）円座（１）の両脇に調節ベルト（３）を取り付ける為の耳（５）を設ける
以上のように構成された，浴槽円座・楽円を利用者の臀部にまきつける
【発明を実施するための最良の形態】
【０００５】  円座と調節ベルトの素材は軽さと弾力性のある皮膚に優しいものを使用する本発明には、それぞれの体重を考慮し、空気調節口（２）を設け、浮力を自在にその利用者に合わせることができ、臀部が円座の中心にくるように当てる。
更に両脇２箇所に取り付けた調節ベルト（３）を、へそのあたりに巻きつけ、調節ベルトの長さを身体の大きさに合わせ止め、使用することにより、浴槽の中で、本発明の浴槽円座・楽円が左右に動かず固定させる事ができる
座位から立位、立位から座位が楽で安全である。
また、本発明の浴槽円座・楽円（１）ベルトの先端にはマジックテープ（４）を使用することにより、介護者、利用者がそれぞれに、調節が楽な為、速やかに身体に密着、および取り外しが容易である
【発明の効果】
【０００６】  片麻痺の方からの声として、仙骨部が浴槽底にあたらず、湯浸かりも楽で、しかも湯船の出入りに余計な力を入れずにすむから楽との感想あり。
また、実際に介護の現場にあたっている人に聞いたところ、現実に商品として販売されていれば、買うのではないかとの意見もあがった。
今後、ますます高齢化の上昇と共に、高齢者が高齢者の世話をせざるを得ない状況下において、ニーズにあった発明と考えられる。
【図面の簡単な説明】
【図１】  本発明  浴槽円座・楽円の平面図
【符号の説明】
１は、円座
２は、空気調節口
３は、調節ベルト
４は、マジックテープ
５は、耳
【図１】
2005081109.tif 000003
(57)【要約】【課題】  伸縮式押入れ収納棚において、調節用の補助脚の所在を常時確認でき、紛失を防ぐ、また、天板の補強策として最良の方法を検討する。高さ調節可能な押入れ棚であれば床面に直接使用することができれば更にようとが広がるという使用者の要望を満足させることが可能である。【課題解決手段】  主脚部と結合するサイドバー両端部近辺に、主脚の嵌合の妨げにならないよう、高さ調節用の補助脚を保持する受け部を設ける。補助脚は使用されない時はこの受け部に設置されるため所在は簡単に判明し、紛失を最小限に抑えられる。また、この補助脚のみを、本体と嵌合させることにより、低い高さで簀としての活用が可能となる。樹脂成形品で問題とされている、重さに対する強度に対しては、角型のスティールパイプを樹脂内部にインサートしながら成形することにより、耐荷重とスティールパイプの防錆防止の両面をカバーできる。【選択図】  図３
2005081104.tif 000002
【特許請求の範囲】
【請求項１】
本体主脚部のサイドバー５の両端部に主脚１と接触しないように、補助脚２を保持する補助脚受け部６を設け、その補助脚受け部６に補助脚２を使用時以外は保管する。高さを上昇させる場合はその補助脚２を補助脚受け部６よりはずし、主脚１と嵌合させることにより変更ができる。主脚部のサイドバー５と補助脚受け部６は一体の樹脂成形とし、強度の確保を促進する構造を持つ押入れ棚。
【請求項２】
本体スライドバー７と並行に主天板３に角型のスティールパイプを内部にインサートして、一体成形加工を施し、耐荷重を強化させてある押入れ棚。
【請求項３】
補助脚２を本体に直接嵌合させることにより、押入れ簀としての機能も備えるマルチユーズの押入れ棚。
【発明の詳細な説明】
【技術分野】
【０００１】  樹脂を主材料とする、伸縮式収納棚における便利性を追及する技術に関する。
【背景技術】
【０００２】  従来は高さ変更に別添の補助脚を接続して調節する方法が主流であった。その場合、脚の紛失が発生する問題が起きて来ている。
【発明の開示】
【発明が解決しようとする課題】
【０００３】  常時補助脚が本体と一体になり、紛失の問題を最小限にとどめるため、使用者が常に所在が確認できる位置に設置する。
【課題を解決するための手段】
【０００４】  主脚から分離せずに補助脚を設置するために、主脚の一部に補助脚を保管する装置を備えることで解決させる。
【発明の効果】
【０００５】  主脚と補助脚が本体と一体の位置に備えられることにより、使用者が自由に目的に応じて、高さ調節が可能となる。また、補助脚の紛失を最小限に食い止めることが可能になる。
【実施例】
【０００６】
【図３】
で示されるように、主脚１、補助脚２、主天板３、サイドバー５、それと補助脚受け部６が一体となる。
【０００７】
【図１】
では、主天板３の荷重に対する補強の方法で、従来の樹脂のみの成形品との差がハッキリとわかる。また、樹脂と一体インサート成形となっているため、防錆の点でも優れている。
【０００８】
【図４】
では、補助脚２を用いて、簀の状態を示し、問題となる、通気状況も補助脚２の高さを保持するため優れていることが理解できる。
【０００９】
【図２】
、
【図４】
及び、
【図５】
の比較で本体使用時の高さの変化の柔軟性がわかる。
【図面の簡単な説明】
【００１０】
【図１】  主天板の裏側に施された補強部の状態を示す図である。
【図２】  本体全体を組み立てた時の中間の高さでの全体図である。
【図３】  主天板と主脚の組み立て状況の下方斜視図である。
【図４】  押入れ簀としても活用できる補助脚使用時の全体図である。
【図５】  本体全体の組み立て最大時の図である。
【符号の簡単な説明】
【００１１】  １．  主脚
２．  補助脚
３．  主天板
４．  可動棚板
５．  サイドバー
６．  補助脚受け部
７．  スライドバー
【図１】
2005081104.tif 000003
【図２】
2005081104.tif 000004
【図３】
2005081104.tif 000005
【図４】
2005081104.tif 000006
【図５】
2005081104.tif 000007
(57)【要約】【課題】本発明は、幅の狭いマスキングテープなどを貼るためのピンセットであり、テープなどの裁断機能を持つものを提供する。【手段】ピンセットの先端の側面に刃をもうける。【選択図】図１
2005212091.tif 000002
【特許請求の範囲】
【請求項１】
先端の側面に刃を設けテープなどの裁断機能を持つピンセット。
【発明の詳細な説明】
【発明の詳細な説明】
【技術分野】
【０００１】本発明は、幅の狭いマスキングテープなどを貼るためのピンセットであって、テープなどを裁断する機能を持つ物に関するものである。
【背景技術】
【０００２】従来幅の狭いマスキングテープを貼る場合ピンセットを用いることは知られている。
【発明が解決しようとする課題】
【０００３】幅の狭いマスキングテープなどをピンセットを用いて貼る場合、裁断はアートナイフなどの  カッターあるいは鋏を用いていた。曲線や多角形をテープでトレースする場合細かくテープを切って貼り進む必要があり、二つの道具を持ち換えながら作業するのは非常に煩雑であった。本発明は、以上の問題点を解決するため、ピンセットの側面に刃を設け、テープの裁断機能を持たせたものである。
【課題を解決する手段】
【０００４】ピンセットの先端の側面（１）に刃をもうける。
【発明を実施するための最良の形態】
【０００５】ピンセットの先端の側面（１）に刃を設ける。本発明を使用する場合、刃のついていない側面を下にしてテープを挟みコントロールしながら張り進み、裁断はテープを挟んだ状態で上の側面にある刃に当てる様に引っ張り行う。
【発明の効果】
【０００６】ピンセットの先端でテープを挟み刃に当てるように引っ張るだけで裁断できるので、カッターや鋏などの道具に持ち換える必要がなく効率良く作業できる。
【図面の簡単な説明】
【図１】    本発明の斜視図
【符号の説明】
（１）  刃、
【図１】
2005212091.tif 000003
(57)【要約】【課題】漏斗を利用した注入の注入量を効率良くする。【解決手段】漏斗を、注入する容器の注入口に装着すると、注入口の内側と漏斗の円筒形の外側は密着するが、本発明の漏斗のように縦溝をつけることにより、縦溝の部分は、容器の注入口と密着することなく、空気が流通出きる。此により継続して効率よく注入できる。【選択図】    図３
2005212898.tif 000002
【特許請求の範囲】
【請求項１】
空気抜き用の縦溝を備えた漏斗。
【発明の詳細な説明】
【技術分野】
【０００１】本発明は漏斗の外側の側面に、空気抜き用の溝を縦につけた漏斗である。
【背景技術】
【０００２】漏斗の側面に縦溝をつけて注入にさいして、効率の良い漏斗を必要とした。
【発明の開示】
【発明が解決しようとする課題】
【０００３】漏斗の外側の側面に空気抜き用の縦溝をつけることにより、漏斗の注入量の効率を良くするように構成したところに、課題の解決がある。
【課題が解決するための手段】
【０００４】漏斗を、注入する容器の注入口に装着すると、注入口の内側と漏斗の円筒形の外側は密着するが、本発明の漏斗の縦溝の部分は、容器の注入口と密着することなく、空気が流通できる。此により継続して効率よく注入できる。よって課題は解決される。
【発明の効果】
【０００５】従来の漏斗を使用すると空気が効率的に流れなく、よって注入量の効率も悪くなる。漏斗の外側に縦溝をつけることにより、注入量が継続して効率よく注入できる。
【０００６】此の発明は、漏斗の外側に縦溝をつけるだけであるから、制作も容易である。
【０００７】漏斗につけつける縦溝の大きさは、漏斗の水平面積の大きさに対して小さいので、装着したときの安定性は失われない。
【実施例】
【０００８】図３のとおりである。
【図面の簡単な説明】
【０００９】
【図１】本発明の、縦溝付き漏斗の斜視図。
【図２】縦溝付き漏斗を、上から見た平面図。
【図３】縦溝付き漏斗を、注入容器の注入口に装着して縦溝を左真横にある状態の、側面断面図。
【符号の説明】
【００１０】１  縦溝付き漏斗
２  縦溝
Ａ  注入容器の注入口部分
【図１】
2005212898.tif 000003
【図２】
2005212898.tif 000004
【図３】
2005212898.tif 000005
(57)【要約】      （修正有）【課題】広口壜、フラスコ、試験管等の密封用に使用し、ゴム栓にガラス管等を通すための穴あけ作業を行う場合に、これを容易なものとする。また、切除部を付けたゴム栓を、底面を下にして起立させた場合における安定性を確保する。【解決手段】本体１の成形時に２の穴を貫通させておきその下に切除部３を置き、これに切り口マーク５を付ける。この切り口マークに沿ってカッターナイフで切り口をいれるか、切除部を完全に切り取ってしまうことによって、ガラス管等を挿入できる様になる。更にゴム栓下部に４の円形側壁を設置し、底面を下にしての起立時における安定性を確保する。【選択図】図３
2005212896.tif 000002
【特許請求の範囲】
【請求項１】
ゴム栓本体の成形時ガラス管等を通す穴を貫通させておき、その下に円形山形の切除部を設置させる。穴をその切除部に浅く貫通させておく、その円形山形に沿って十字形切り口マークを付け、又は切除部の円形山形の裾に十字形の掘り込みを付けて切り口を付け易い形とする。
【請求項２】
下部に円形山形の切除部をつけたゴム栓の下側外周に円形側壁を設置し、起立時の安定を図る。
【発明の詳細な説明】
【発明の詳細な説明】
【技術分野】
【０００１】本発明は、広口壜、フラスコ、試験管等に使用するゴム栓の簡易な穴明け方法と、安定起立構造に関するものである。
【背景技術】
【０００２】従来のこの種のゴム栓は、広口壜、フラスコ、試験管等の密封用に使用し、化学実験用等の場合には、ゴム栓に穴をあけて例えばガラス管、ガラス温度計、蒸留用コンデンサーなどを取付ける時があり、図１の如く（１）のボデーにコルクポーラー等によって、手動で（２）のような穴をあけていた。元来コルクポーラーは、コルクの如く比較的密度が低く、弾力も少ない物質に適しているものであり、ゴム栓のように高圧で成形されて密度が高く、且つ弾力のある物質についての穴あけ作業は困難なものとなっている。  大型ゴム栓の場合の穴あけは、穴の深度が大きいために穴あけ時に抵抗が大きく、垂直、直線を保つことが難しくなり、更に困難なものとなっていた。【０００３】  次に、この穴あけ作業を容易にするために、図２の（ａ）の断面図に示す如く、成形時に上部から穴（２）をあけておき、（３）の切除部を設置し、この部分をカッターナイフ等で切除することによって、穴を貫通させる形のゴム栓があった。  この形のゴム栓は、底面を下にして起立させた場合の安定性に欠け、実験台や机上からの転落等の可能性が指摘されていた。
【発明の開示】
【発明が解決しようとする課題】
【０００４】本発明において解決すべき課題は、上記の切り口を用意につけられる切除部を置き、これに切り口マークを付けて、切り口をつけるための加工を容易にし、更に切除部を着けた場合に、底面を下にしての起立時における安定性を確保することである。
【課題を解決するための手段】
【０００５】この技術に関する本発明の要点は、図２（ｂ）に示す如く、本体（１）の成形時に（２）の穴を貫通させておきその下に切除部（３）を置き、これに切り口マークを付ける。  更にゴム栓下部に（４）の円形側壁を設置して底面を下にしての起立時における安定性を確保することである。
【発明の効果】
【０００６】本発明のゴム栓は、通常の場合はそのままゴム栓として密封用の用途に使用される。このゴム栓に穴を貫通させるときには、切除部（３）を切除するか、十字形に附されたマークの通りにカッターナイフで切り口をつけることによって、ガラス管、ガラス温度計等を容易に貫通させることが出来る。  これによってコルクポーラー等による困難な穴あけ作業の排除が可能となる。  この切除部を付けた場合の起立安定性は、（４）の下部外周に円形外壁をおくことによって確保できる。
【発明を実施するための最良の形態】
【０００７】図３、図４、に示すように、（１）のゴム栓本体に（２）の穴を貫通させておく、この下に（３）の切除部を置く、貫通させた穴の深さは、僅かに切除部に入り込む形にしておく。その外周には（４）の円形側壁を設置する。
【実施例１】
【０００８】図３、の例は、上記（３）の切除部の山形に沿って、十字型に浅い切り込み（５）を作っておく形である。
【実施例２】
【０００９】図４、の例は、上記（３）の切除部円形山形の山裾の端に、十字型に浅い切り込み（６）を作っておく形である。
【産業上の利用可能性】
【００１０】図５、図６、に使用例を示す。  図５（ｃ）の如く、ゴム栓の底部を上にして置く。１例目では、図５（ｄ）の如く（５）の切り口マークに沿ってカッターナイフで十字形に切り口を入れる。  図６（ｅ）の如く切除部を全部取り除く。次いでガラス管等を挿入する。【００１１】２例目では、図４（６）の切り口マークに合致するする方向にカッターナイフで十字形に切り口を入れる。  図６（ｆ）の如く切除部を残したままガラス管等を挿入する。切除部はそのまま４分割されてゴム栓底部に残るが、ガラス管等は、ゴムの弾力によって切除部は  図６（ｆ）の如く広がり、ガラス管挿入には支障はない。【００１２】図７は、大型ゴム栓の場合多目的に使用され、例えばガラス管、温度計、コンデンサー等を計２本、３本の様に多くの挿入物に用いる例である。
図７（ｇ）は３本、（ｈ）は２本の挿入用である。
次に、これらのゴム栓は、ガラス管等を挿入しない場合には切除部に対して何ら加工を施さない。その為通常用途の密封用に使用できる多様性を持っている。
本発明によるゴム栓は、化学実験等の場において使用上の便益性、安全性を高め、多目的に利用が期待できるものである。
【図面の簡単な説明】
【図１】  通常のゴム栓に穴を明けた図
【図２】  従来の切除部を持ったゴム栓と本発明のゴム栓との起立時の比較図
【図３】  切除部の円形山形の上に切り口マークを付けた場合の図
【図４】  切除部の円形山形の山裾に切り口マークを付けた場合の図
【図５】  切除部へのカッターナイフでの加工方法例の図
【図６】  切除部の使用方法例の図
【図７】  多数の穴あけ使用方法例の図
【符号の説明】
（１）  ゴム栓本体部
（２）  ゴム栓穴あけ部
（３）  ゴム栓穴あけ切除部
（４）  ゴム栓底面外周側壁部
（５）  切除部円形山形上の切り口マーク
（６）  切除部円形山形山裾の切り口マーク
（７）  切除部を完全除去した状況図
（８）  挿入ガラス管
【図１】
2005212896.tif 000003
【図２】
2005212896.tif 000004
【図３】
2005212896.tif 000005
【図４】
2005212896.tif 000006
【図５】
2005212896.tif 000007
【図６】
2005212896.tif 000008
【図７】
2005212896.tif 000009